(57)【要約】      （修正有）【課題】ネズミ等の小動物を自由に徘徊させず、または防衛するべき空間に自由に侵入させないことができる防鼠配管導入構造を提供する。【解決手段】防鼠配管導入構造は、配管の被覆よりも硬度が低い板状の第１の弾性部材２と、第１の弾性部材２の一方の面に形成され、第１の弾性部材２よりも硬度が高い板状の第２の弾性部材３とを備え、第１の弾性部材２には、他方の面から一方の面に対して配管を通過させる切り込み２０が形成されている。切り込み２０は、配管を通過させる穿孔部２１を中心として放射状に等間隔で複数個配置されている。アルミニウムの弾性部材より、緩衝材となるシリコン等の弾性部材が大きいサイズになって、アルミニウムを直接配管に接触させない構造である。【選択図】図４
0003218695.tif 000002
【実用新案登録請求の範囲】
【請求項１】
配管の被覆よりも硬度が低い板状の第１の弾性部材と、
前記第１の弾性部材の一方の面に形成され、前記第１の弾性部材よりも硬度が高い防鼠機能のある板状の第２の弾性部材とを備え、
前記第１の弾性部材には、他方の面から前記一方の面に対して前記配管を通過させる切り込みが形成されていることを特徴とする防鼠配管導入構造。
【請求項２】
請求項１に記載の防鼠配管導入構造において、
前記第２の弾性部材において前記第１の弾性部材が形成されている側と反対側の面に形成され、前記配管の被覆よりも硬度が低い板状の第３の弾性部材を備えることを特徴とする防鼠配管導入構造。
【請求項３】
請求項１又は請求項２に記載の防鼠配管導入構造において、
前記切り込みは、前記配管を通過させる穿孔部を中心として放射状に等間隔で複数個配置されていることを特徴とする防鼠配管導入構造。
【請求項４】
請求項１乃至請求項３の何れか一項に記載の防鼠配管導入構造において、
前記配管を通過させる穿孔部の直径は、７ｍｍ以下であることを特徴とする防鼠配管導入構造。
【請求項５】
請求項１乃至請求項４の何れか一項に記載の防鼠配管導入構造において、
前記第１の弾性部材がシリコンのような弾力性のある素材であることを特徴とする防鼠配管導入構造。
【請求項６】
請求項１乃至請求項５の何れか一項に記載の防鼠配管導入構造において、
前記第２の弾性部材は、対象動物がネズミの場合は、０．８ｍｍ〜１．０ｍｍの厚みを有するアルミニウムであることを特徴とする防鼠配管導入構造。
【考案の詳細な説明】
【技術分野】
【０００１】
本考案は、防鼠配管導入構造に関する。
【背景技術】
【０００２】
昨今のコンピュータに起因する情報社会は、デジタル情報で管理運営されている。そのため、情報機器同士の配線やケーブル（以下、ケーブル類とする）など、大量のケーブルが建物の上下階など複数階にわたって接続されることも多くなった。
【０００３】
情報機器類の減価償却期限による入替、情報機器類の性能向上による入替など、頻繁なケーブルの入替や増設が発生することから、建物の外部にダクト形状の大きめのケースを用意し、内部に次々とケーブルが増加する結果を招く。
【０００４】
また、ビルにおいては、地下から導入された水道管やガス管などビルのライフラインに関係する配線や配管類が、エレベータや非常階段などの竪抗の付近に設置されたパイプスペースなどに集約されて上下階に渡って設置されている。
【０００５】
これらのケーブルや配管類などは、ネズミ、ハクビシン、アライグマ、イタチなどの小動物（以下、ネズミ等とする）がケーブルや配管に掴まって登ることができ、高層化する建物の地下から地上の高層階まで、縦方向に移動する経路となっている。
【考案の概要】
【考案が解決しようとする課題】
【０００６】
ところが、これらの竪抗やダクトなどに起因する上下方向のケーブル類や配管などのスペースにおいて、ネズミ等の移動を阻止できる装置がなかったことから、ネズミ等は竪抗やダクトにより、上下方向を自由に徘徊してしまう結果となった。
【０００７】
そのうえ、従来からある天井裏やインテリジェント化されたビルの床下空間の横方向において自由に徘徊することができる状況になっている。
【０００８】
ネズミは門歯等の歯が伸び続ける習性があり、硬いものをガリガリと噛んで歯をすり減らさなければならず、これを怠ると口が閉まらないとか、口が開かないなどの結果となって餓死してしまう。そのため、生後間もなくから、硬いものを噛む習性がある。
【０００９】
ケーブル等のダクトや竪抗のパイプスペースなどの状況から、建物内に自由に侵入し、鉄道であれば制御室、信号所、変電室などの情報機器類に対するネズミ等に起因する被害が発生し、電車が停止してしまうなどの諸問題を発生させ、福島原発においては冷却装置がネズミに起因する漏電の発生により作動できず、メルトダウンになってしまったことは記憶に新しい事例である。
【００１０】
高速道路においてはＥＴＣ課金システムに不具合が発生し、漏電火災が発生することは、火災発生原因の上位を占めている残念な結果であり、企業においてはシステムダウンによる機能不全が発生している。
【００１１】
本考案は、上記課題に鑑みてなされたもので、ネズミ等の小動物を自由に徘徊させず、または防衛するべき空間に自由に侵入させないことのできる防鼠配管導入構造を提供することを目的とする。
【課題を解決するための手段】
【００１２】
本考案に係る防鼠配管導入構造は、配管の被覆よりも硬度が低い板状の第１の弾性部材と、前記第１の弾性部材の一方の面に形成され、前記第１の弾性部材よりも硬度が高い防鼠機能のある板状の第２の弾性部材とを備え、前記第１の弾性部材には、他方の面から前記一方の面に対して前記配管を通過させる切り込みが形成されていることを特徴とする。
【考案の効果】
【００１３】
この考案によれば、ネズミ等の小動物を自由に徘徊させないこと及び自由に侵入させないことができる。
【図面の簡単な説明】
【００１４】
【図１】ベースの平面概略図である。ベースとなる部材は、鉄製やアルミニウム製など強度のある部材を想定している。
【図２】場所によっては既設の配管があるため、ベースに対して部分的な開口部を用意した状態を示す平面概略図である。
【図３】既設の配管が空間との中央部にある場合などは、ベースを２分割して左右から挟み込むようにした状態で設置しなければならず、このような平面概略図となる。
【図４】第１の弾性部材に形成された切り込みパターンの一例を示す平面概略図である。
【図５】弾性緩衝部材が片面に具備されている場合の配管導入構造の概略断面図である（両面に緩衝部材がある場合は、両方向から反対方向に配管が挿入できる）。
【図６】パイプスペースの配置例を示す図である。既設の配管を避けたり、今後の導入に備えて事前に当該機能を設置したりするなどの複合的に設置した例示である。
【図７】本開示に係る配管導入構造の変形例を示した説明図である。
【図８Ａ】本開示に係る配管導入構造の変形例を示した説明図である（その１）。
【図８Ｂ】本開示に係る配管導入構造の変形例を示した説明図である（その２）。
【考案を実施するための形態】
【００１５】
以下に、本開示に係る一例としての配管導入構造を、図面を参照しつつ説明する。
【実施例１】
【００１６】
（ベース）
ベース１は、鉄又はアルミニウムで形成され、基準寸法に基づいて２次元的に規則正しく配置された複数（図示例では４９個）の穿孔部１１と、枠１２とを有する枠体からなる。
【００１７】
枠１２によって形成される穿孔部１１の形状は、平面視で、図１に示す例では正方形であるが、本考案においては、特に制限的ではなく、例えば、長方形、ひし形、又は平行四辺形等の他の四角形、正三角形、２等辺三角形、又は直角三角形等の三角形、正五角形、又は正六角形等の正多角形を含む多角形、円形、若しくは楕円形等であっても良いし、不定形であっても良い。
【００１８】
既存の配管導入部に本開示に係る防鼠配管導入構造１０を設置する場合、既存の配管が存在するため、それらを回避しなければならない。
【００１９】
そこで、事前の調査段階で既存配管の数量、本数、ボリュームなどを測定し、その太さの種類や量などによって、予め回避し、図２に示すように、ベース１に対して部分的な開口部などを用意して現場ごとの事情に合わせて変更することとする。
【００２０】
例えば、ダクトの内部に、既設の配管が上下方向に設置されている場合、その既設の配管を束ね、既設配管束を１つの塊として受け入れる構造と機能が必要となる。そのため、ベース１は、図３に示すように、２分割されて左右や前後において、挟み込むようにして受け入れる構造も用意しなければならない。この分割については、必ずしも２分割に限るものではない。例えば、３分割や４分割もあり得る。
【００２１】
（第１の弾性部材）
配管の導入に際して、防鼠機能を発揮するためには、配管以外の空間を隙間なく閉鎖しなければならない。それがベース１の上に設置される防鼠機能板としての第１の弾性部材２である。配管は、ケーブル、ガス管、上水道管、下水道管、給湯管、空調配管、換気配管などが挙げられ、それらを含めて配管と総称する。
【００２２】
第１の弾性部材２は、配管の被覆よりも硬度が低いシリコンプレートからなる板状の部材である。第１の弾性部材２には、他方の面から一方の面に対して配管を通過させる切り込み２０（図４）が形成されている。シリコンが緩衝材となり、配管を損傷から守る。
【００２３】
切り込み２０は、図４に示すように、配管を通過させる穿孔部２１を中心として放射状に等間隔で複数個配置されている。切り込み２０を通過する配管の太さによって開く角度が変わる構造であり、切り込み２０は配管の太さに密着することができる。
【００２４】
配管を通過させる穿孔部２１の直径は、７ｍｍ以下である。これは、穿孔部の直径が７ｍｍを超える場合、ハツカネズミの侵入を防止できないからである。
【００２５】
（第２の弾性部材）
第２の弾性部材３は、図５に示すように、第１の弾性部材２の一方の面に弾性体の接着剤によって接着される。第２の弾性部材３は、第１の弾性部材２よりも硬度が高い板状の部材である。第２の弾性部材３は、対象動物がネズミの場合は、０．８ｍｍ〜１．０ｍｍの厚みを有するアルミニウムである。これは、第２の弾性部材３の厚みが０．８ｍｍ以下の場合、ネズミが第２の弾性部材３を曲げてしまい、また、１．０ｍｍを超えると作業者が現場で細工するのが大変になるからである。
【００２６】
第２の弾性部材３だけでケーブルに接触すると、重要なケーブルを傷付けてしまったり、何らかの損傷を与えてしまったりする可能性が考えられる。本開示に係る防鼠配管導入構造１０によれば、第２の弾性部材３より大きいサイズの第１の弾性部材２がケーブルとの緩衝材の役割を果たす。
【００２７】
デジタル社会の存在意義と必要性が叫ばれる中、ガスや電気等のライフラインと建物の竪抗の問題が増えていくという状況にある。このような状況下にあっては、既存の配管やケーブル等を受け入れる構造と今後の新規の配管を受け入れる構造の両立が求められている。
【００２８】
ベース１、第１の弾性部材２、第２の弾性部材３などいずれも特殊な工具がなくても、ドライバとビスだけで対応できるため、空調設備業者でも制御設備メーカでも誰でも困ることなく本開示に係る防鼠配管導入構造１０を活用することができる。
【００２９】
本考案に係る防鼠配管導入構造１０によれば、平時においては、第１の弾性部材２及び第２の弾性部材３を水平にしたことで、穿孔部２１へのネズミ等の侵入を防止できる（防鼠効果）。従来はネット等を作業者が切断しないと配管を通せなかった。これに対し、本考案に係る防鼠配管導入構造１０は、何らの工具の準備無しに、いきなり穿孔部２１に配管を通せる。しかも、自動的に緩衝材が挟まって、緩衝材とアルミ板のように弾性の異なるものできちっと配管を留めることができる。さらに、配管を通した後も、その通した形状を維持することで、防鼠効果が維持される。
【００３０】
（パイプスペースの配置例）
図６は、パイプスペースの配置例を示す図である。この配置例では、パイプスペースの全体が防鼠配管導入構造によって塞がれているが、パイプスペースの半分又は一部が防鼠配管導入構造によって塞がれるものでもよい。なお、パイプスペースの半分に当該防鼠配管導入構造を設置した場合、残りの半分については、閉鎖板を仮止めしておき、将来的に当該防鼠配管導入構造を設置する方式を採用してもよい。
【００３１】
なお、既存の配管がある場合、その設置状況によっては、図６のような列状または短冊状の形状にて、本考案に係る防鼠配管導入構造１０と同様の機能を果たすことができる。
【００３２】
本考案に係る防鼠配管導入構造１０は、配管の被覆よりも硬度が低い板状の弾性部材を緩衝材の役割として、アルミ板の片面または両面に弾性接着剤によって接着した構造を備え、前記の弾性部材及びアルミ板等の他方の面から一方の面に対して、前記配管を挿入及び通過させるために、切り込みが形成されていることを特徴とする。
【００３３】
この切り込みにおいては、図４中の符号３で表示されている中心部のアルミ板よりも第１の弾性部材２の方が大きい構造にすることで、通過する配管に対して、符号３のアルミ板など防鼠機能のある素材がケーブルに直接触れることがなく、ケーブルの損傷を防止することができる。
【００３４】
以上、本考案の防鼠配管導入構造を実施形態に基づいて説明してきたが、具体的な構成については、この実施形態に限られるものではなく、実用新案登録請求の範囲の各請求項に係る考案の要旨を逸脱しない限り、設計の変更や追加等は許容される。
【００３５】
例えば、図７に示すように、穿孔部２１を中心として、周方向に対して等角度（又は等間隔）に分割して、平面視で二等辺三角形を有する第２の弾性部材３を複数個（図７では８つ）形成しても良い。
【００３６】
例えば、図８Ａ及び図８Ｂに示すように、第２の弾性部材３において第１の弾性部材２が形成されている側と反対側の面に形成され、配管の被覆よりも硬度が低い板状の第３の弾性部材４を備えてもよい。これによれば、双方向から穿孔部への配管の挿入が可能になり、利便性が向上する。
【符号の説明】
【００３７】
１・・・ベース
２・・・ｃ
３・・・第２の弾性部材
４・・・第３の弾性部材
１０・・・防鼠配管導入構造
１１、２１・・・穿孔部
１２・・・枠
【図１】
0003218695.tif 000003
【図２】
0003218695.tif 000004
【図３】
0003218695.tif 000005
【図４】
0003218695.tif 000006
【図５】
0003218695.tif 000007
【図６】
0003218695.tif 000008
【図７】
0003218695.tif 000009
【図８Ａ】
0003218695.tif 000010
【図８Ｂ】
0003218695.tif 000011